(57)【要約】【課題】カール処理に必要十分な加熱が可能であり、交換も容易な発熱体を備えたヘアカーラーを提供すること。【解決手段】頭髪にカール処理を施すためのヘアカーラーであって、頭髪を巻き付ける筒状のロッド体と、ロッド体の外周にあって巻き付けた頭髪を押さえる押さえ体と、ロッド体の筒状内部に脱着可能又はロッド体と一体を成す発熱体容器を備える構成において、発熱体容器１１内に酸化カルシウム３０を入れた第１領域１２０と、水３１を入れた第２領域１２１とを設けて使用前においては少なくともいずれか一方の領域が水密性を有すると共に、使用者の操作によって第１領域と第２領域とを流通させる流通手段１３１を備え、酸化カルシウムの発熱反応によりロッド体を加熱するように構成する。【選択図】図２
2015023998.tif 000002
【特許請求の範囲】
【請求項１】
頭髪にカール処理を施すためのヘアカーラーであって、
頭髪を巻き付ける筒状のロッド体と、
ロッド体の外周にあって巻き付けた頭髪を押さえる押さえ体と、
該ロッド体の筒状内部に脱着可能又は該ロッド体と一体を成す発熱体容器を備える構成において、
該発熱体容器内に酸化カルシウムを入れた第１領域と、水を入れた第２領域とを設けて使用前においては少なくともいずれか一方の領域が水密性を有すると共に、
使用者の操作によって第１領域と第２領域とを流通させる流通手段を備え、
酸化カルシウムの発熱反応により該ロッド体を加熱するように構成した
ことを特徴とするヘアカーラー。
【請求項２】
前記発熱体容器に、前記第１領域と、前記第２領域とを隔離する隔離面を備え、
前記流通手段が、該隔離面を破断する破断部材で構成される
請求項１に記載のヘアカーラー。
【請求項３】
前記発熱体容器が、前記第１領域と前記第２領域とを有する胴部と、該胴部を少なくとも水密する蓋部とから成り、
該蓋部に前記破断部材として先鋭な先鋭部材を付設して、該蓋部を閉蓋する際に前記隔離面を破断するように構成した
請求項２に記載のヘアカーラー。
【請求項４】
前記発熱体容器に、前記第１領域と、前記第２領域とを隔離する隔離面を貼合する貼合テープを備えて前記流通手段を構成し、
該貼合テープを剥がすことで該第１領域と該第２領域が流通する
請求項１に記載のヘアカーラー。
【請求項５】
前記発熱体容器が、前記第１領域と前記第２領域とを有する胴部と、該胴部を少なくとも水密する蓋部とから成り、
該蓋部と前記貼合テープとを連動させ、該蓋部を閉蓋する際に該貼合テープが剥がれるように構成した
請求項４に記載のヘアカーラー。
【請求項６】
頭髪にカール処理を施すためのヘアカーラーであって、
頭髪を巻き付ける筒状のロッド体と、
ロッド体の外周にあって巻き付けた頭髪を押さえる押さえ体と、
該ロッド体の筒状内部に脱着可能又は該ロッド体と一体を成す発熱体容器を備える構成において、
該発熱体容器内に酸化カルシウムを入れると共に、注水口を備え、
使用者が該注水口から注水することで酸化カルシウムの発熱反応により該ロッド体を加熱するように構成した
ことを特徴とするヘアカーラー。
【請求項７】
前記ロッド体の少なくとも外周面に均熱材を用いる
請求項１ないし６のいずれかに記載のヘアカーラー。
【請求項８】
前記ロッド体の少なくとも外周面に防水透湿性素材を用いる
請求項１ないし７のいずれかに記載のヘアカーラー。
【請求項９】
前記請求項１ないし８のいずれかに記載のヘアカーラーで用いる発熱体容器であって、
前記ロッド体とは別体で形成され、該ロッド体の筒状内部に脱着可能に構成した
ことを特徴とするヘアカーラー用発熱体容器。
【発明の詳細な説明】
【技術分野】
【０００１】
本発明は、頭髪にヘアカールを施す際に用いるヘアカーラーであって、特にヘアカーラーに発熱体を備える構成に関する。
【背景技術】
【０００２】
従来から頭髪にヘアカールを施すための様々なヘアカーラーが提案されている。カール処理は熱や化学反応によって毛髪にウェーブを形成し、それをある程度の期間保持するものである。
特に熱を利用した処理方法に用いるヘアカーラーとして、次の特許文献が開示されている。
【０００３】
特許文献１の自己発熱ヘアーカーラーは、内部に酸素および／または水と反応して発熱する物質が固定され、かつ不活性ガスが充填され密閉されている。そして密閉を開放することによって反応が生じて発熱する構成を開示している。
本考案による自己発熱ヘアーカーラーは不活性ガスを充填させて密封する点と、カーラー自体が使い捨てである点に特徴がある。
【０００４】
特許文献２に記載される携帯用ヘアカーラーの金属発熱体は、特定の組成からなる携帯用ヘアカーラーの発熱体を開示している。金属発熱組成物を通気性包材袋に入れ、巻き付け具内部に挿入して使用する。本発明は主として発熱体の温度特性、通気度に着目したものである。
【０００５】
特許文献３に記載されるヘアカーラーは、毛髪が巻き付けられる毛髪巻き付け具と、毛髪巻き付け具に対して着脱自在になされ、水蒸気を伴う熱を発生する蒸気温熱発生具とを含んで構成されている。蒸気温熱発生具に、毛髪巻き付け具に対する着脱操作をする際に把持される把持部が設けられたものである。本発明の温熱発生具には、空気との接触により発熱可能な発熱体を用いている。
【先行技術文献】
【特許文献】
【０００６】
【特許文献１】実開昭５４−１５１５８５号
【特許文献２】特公平４−５７３２３号
【特許文献３】特開２０１１−２０６３８５号
【発明の概要】
【発明が解決しようとする課題】
【０００７】
本発明は上記従来技術に照らして新たな構成のヘアカーラーを提供するものであって、カール処理に必要十分な加熱が可能であり、交換も容易な発熱体を備えたヘアカーラーを提供することを目的とする。
【課題を解決するための手段】
【０００８】
上記課題を解決するため、本発明は次のようなヘアカーラーを提供する。
すなわち、請求項１に記載の発明によれば、頭髪にカール処理を施すためのヘアカーラーであって、頭髪を巻き付ける筒状のロッド体と、ロッド体の外周にあって巻き付けた頭髪を押さえる押さえ体と、ロッド体の筒状内部に脱着可能又はロッド体と一体を成す発熱体容器を備える。
本構成において、発熱体容器内に酸化カルシウムを入れた第１領域と、水を入れた第２領域とを設けて使用前においては少なくともいずれか一方の領域が水密性を有すると共に、使用者の操作によって第１領域と第２領域とを流通させる流通手段を備え、酸化カルシウムの発熱反応によりロッド体を加熱するように構成したことを特徴とする。
【０００９】
請求項２に記載の発明によれば、発熱体容器に、第１領域と、第２領域とを隔離する隔離面を備え、流通手段が、隔離面を破断する破断部材で構成されるヘアカーラーを提供することもできる。
【００１０】
請求項３に記載の発明によれば、発熱体容器が、第１領域と第２領域とを有する胴部と、胴部を少なくとも水密する蓋部とから成り、蓋部に破断部材として針や刃などの先鋭部材を付設して、蓋部を閉蓋する際に隔離面を破断するように構成してもよい。
【００１１】
請求項４に記載の発明によれば、発熱体容器に、第１領域と、第２領域とを隔離する隔離面を貼合する貼合テープを備えて流通手段を構成し、貼合テープを剥がすことで第１領域と第２領域が流通するヘアカーラーを提供することができる。
【００１２】
請求項５に記載の発明によれば、発熱体容器が、第１領域と第２領域とを有する胴部と、胴部を少なくとも水密する蓋部とから成り、蓋部と貼合テープとを連動させ、蓋部を閉蓋する際に貼合テープが剥がれるように構成してもよい。
【００１３】
請求項６に記載の発明によれば、頭髪にカール処理を施すためのヘアカーラーであって、頭髪を巻き付ける筒状のロッド体と、ロッド体の外周にあって巻き付けた頭髪を押さえる押さえ体と、ロッド体の筒状内部に脱着可能又はロッド体と一体を成す発熱体容器を備える。本構成において、発熱体容器内に酸化カルシウムを入れると共に、注水口を備え、使用者が注水口から注水することで酸化カルシウムの発熱反応によりロッド体を加熱するように構成したことを特徴とするヘアカーラーを提供することができる。
【００１４】
請求項７に記載の発明によれば、ロッド体の少なくとも外周面に均熱材を用いる上記いずれかに記載のヘアカーラーを提供することもできる。
【００１５】
請求項８に記載の発明によれば、ロッド体の少なくとも外周面に防水透湿性素材を用いる上記いずれかに記載のヘアカーラーを提供することもできる。
【００１６】
請求項９に記載の発明によれば、上記請求項１ないし８のいずれかに記載のヘアカーラーで用いる発熱体容器を提供することもできる。
すなわち、本発明に係るヘアカーラー用発熱体容器は、ロッド体とは別体で形成され、前記ロッド体の筒状内部に脱着可能に構成したことを特徴とする。
【発明の効果】
【００１７】
本発明は上記構成により次のような効果を奏する。
酸化カルシウムと水との発熱反応により短時間に十分な温度までヘアカーラーを加温することができ、電源も必要としない。
発熱体容器には予め酸化カルシウムと水とを隔離して入れ、ロッド体とは別に単体でも販売することができる。この場合、ロッド体や押さえ体は繰り返しの使用が可能であって、カール処理にかかるコストを抑制し省資源化にも寄与する。
【００１８】
流通手段を用いることで、誰でも簡便に酸化カルシウムと水を混合する作業を行うことができ、使用後は生成された水酸化カルシウムごと発熱体容器を廃棄すれば良いので、取扱いにも便利である。
【００１９】
さらに、蓋部と流通手段を連動させることで、蓋を閉めるごく簡単な操作で上記の混合作業を行うことができ、同時に胴部から水が漏れるのを防ぐことができる。
【００２０】
ロッド体内に予め酸化カルシウムを入れておき、使用時に注水する構成では、使用しない時には発熱体容器に水を含まないため軽量で、持ち運びに便利である。また飛行機の機内など液体の持込が規制される場所にも持ち込むことができる。
【００２１】
外周面に均熱材を用いる構成では、反応熱を適切な温度に管理すると共に、ロッド体全体が均一に加温され、良好なカール処理を行うことができる。
また、外周面に防水透湿性素材を用いる構成では、酸化カルシウムの反応によって生じる水蒸気を頭髪に及ぼすことができるので、カール処理の効果を高め、保湿効果も奏する。同時に、発熱体容器から水分が蒸発するので、使用後の処理がさらに簡便である。
【図面の簡単な説明】
【００２２】
【図１】本発明に係るヘアカーラーの斜視図。
【図２】発熱体容器の状態を示す説明図。
【図３】ロッド体の別実施例の説明図。
【図４】本発明の流通手段の実施例を示す説明図。
【図５】本発明の別実施例を示す説明図。
【図６】異なる形状のヘアカーラーの斜視図。
【発明を実施するための形態】
【００２３】
以下、本発明の実施形態を、図面に示す実施例を基に説明する。なお、実施形態は下記に限定されるものではない。
頭髪にヘアカールを施す際にヘアカーラー（１）が広く用いられている。本発明は周知のヘアカーラーに適用可能な新たな発熱体を提供するものである。
図１は本発明に係るヘアカーラーの斜視図であって、頭髪を巻き付ける筒状のロッド体（１０）と、ロッド体（１０）の外周にあって巻き付けた頭髪を押さえる押さえ体（２０）とから構成される。押さえ体（２０）は可撓性を有して開放部（２１）が拡がることで頭髪を巻き付けたロッド体（１０）に嵌合する。
【００２４】
第１の実施形態では、ロッド体（１０）は筒状の内部が発熱体容器（１１）を形成している。すなわち、ロッド体（１０）は中空であって、胴部（１２）と蓋部（１３）とに分かれる。
【００２５】
図２は発熱体容器（１１）の胴部と蓋部との状態を示す説明図である。
図２（ａ）において、容器内は、酸化カルシウム（生石灰）（３０）を入れた第１領域（１２０）と、水（３１）を入れた第２領域（１２１）とに隔離面（１２２）を介して隔離されている。隔離面（１２２）は水密性を有して、使用前には酸化カルシウム（３０）と水（３１）とが接触しないようにしている。
【００２６】
使用前の状態では蓋部（１３）から胴部に向けて円筒形に延設された嵌入部（１３０）が、胴部（１２）の開口端（１２３）と干渉し、必要に応じて図示しないロック部材によって固定されることで、閉蓋を阻止されている。
蓋部（１３）には図示のように針状の先鋭部材（１３１）が胴部（１２）に向けて突設される。
【００２７】
図２（ｂ）は、蓋部（１３）を所定以上の力で押し込むか、あるいは図示しないロック部材を解除して、蓋部（１３）を閉蓋した状態を示している。
このとき、先鋭部材（１３１）の先端が隔離面（１２２）のフィルムを突破する。図２（ｃ）はその後の状態を示す図であり、隔離面（１２２）が破断されることによって酸化カルシウム（３０）と水（３１）とが混ざった状態である。
【００２８】
周知のように酸化カルシウムは水と混合されることによって発熱反応を生じるので、混合開始から十数秒程度でロッド体（１０）が加熱される。酸化カルシウムの発熱反応は、鉄の酸化作用における発熱を利用した従来の技術などに比して速やかに、高い温度を得ることができるので、カール処理には特に好適である。
【００２９】
本発明はまずヘアカーラーに酸化カルシウムの発熱反応の適性を見出し、これを利用した点に特徴があり、次に、ヘアカーラーのロッド体（１０）内に発熱体容器を備えて、簡便な操作でカーラー処理ができるようにした点に大きな優位性を有するものである。
【００３０】
先鋭部材は本実施例のように針状の部材でもよいし、刃状の部材でもよい。本発明の破断部材としては、先鋭部材に限らず、隔離面（１２２）全体または一部を押圧して破断させる構成でもよい。さらに空気圧を利用して隔離面（１２２）に圧力を及ぼし、破断させることもできる。
【００３１】
本発明において、第１領域、第２領域の配置、隔離面の構成は任意である。第１領域と第２領域とのいずれかに水密性を有すればよいので、例えば、第２領域の水だけを袋に入れ、袋の表面全体を隔離面とする構成でもよい。
【００３２】
図３は本発明のロッド体（１０’）の別実施例である。
別実施例では、ロッド体（１０’）は頭髪を巻き付ける筒部（１１０）と、発熱体容器（１１１）とに分割され、発熱体容器（１１１）が筒部（１１０）に脱着可能に構成している。発熱体容器（１１１）における胴部（１１２）、蓋部（１１３）、先鋭部材（１１４）の構成は上記実施例と同様である。
【００３３】
別実施例のように、発熱体容器（１１１）を筒部（１１０）と脱着可能に構成した場合、発熱体容器（１１１）だけを使い捨てにして、筒部（１１０）は繰り返し使用することができる。筒部（１１０）には感触がよく質感の高い素材を用いることが好ましく、日常的に繰り返し使われるものであることから、発熱体容器（１１１）を交換可能にした別実施例の構成はコスト面、省資源性の点で好適である。
【００３４】
本発明において、第１領域と第２領域との間を流通させる流通手段としては様々な態様が可能である。
図４は本発明の流通手段の実施例である。図４（ａ）は、隔離面を破断する破断部材として糸（４０）を用いる構成である。図中で上記実施例と同一の部材は同一符号で示し、説明を省略する。糸（４０）の端部は隔離面（１２４）に付着されており、糸（４０）の他端の把持部（４１）を引くことで隔離面（１２４）が破断する。
【００３５】
図４（ｂ）は、流通手段として貼合テープ（４２）を用いる構成である。図４（ｃ）に示すように隔離面（１２５）は隣接線（１２６）で左右に分割されており、貼合テープ（４２）で両者を貼り合わせる。使用時には貼合テープ（４２）の把持部（４３）を引くことで貼合テープ（４２）が剥がれ、隣接線（１２６）の部位で開口する。これにより酸化カルシウム（３０）と水（３１）とが混合するものである。
【００３６】
本態様によれば、貼合テープ（４２）を外部から引く簡単な操作で、ヘアカーラーの加熱が開始できる。
また貼合テープ（４２）の一端を蓋部（１３）に連結し、蓋部（１３）に連動して貼合テープ（４２）が剥がれるように構成してもよい。例えば蓋部（１３）から凸部と突設し、該凸部の先端に付着した貼合テープ（４２）の一端が、奥に押される際に第２領域側に調節した貼合テープ（４２）を奥に引く、或いは貼合部分を剥がすようにすることもできる。
【００３７】
図５は水の注入口を備えたヘアカーラーの第２の実施形態である。
ロッド体（５０）は筒状の内部が発熱体容器（５１）を形成し、胴部（５２）と蓋部（５３）とに分かれる。蓋部（５３）には水を注入するための注入口（５４）と、注入口を密封可能なキャップ（５５）を備える。
【００３８】
胴部（５２）には予め酸化カルシウム（３０）を入れ、販売時は酸化カルシウムを入れてキャップ（５５）で密封した状態で提供される。使用者は、使用の直前になってキャップ（５５）を開け、注入口（５４）から水を所定量注入する。
水の注入によって酸化カルシウム（３０）が発熱反応を生じ、ロッド体（５０）が加熱される。
【００３９】
本実施形態によれば、使用の直前まで酸化カルシウム（３０）だけが入った状態のためヘアカーラー自体が軽量であり、旅行などへの持参も容易である。ヘアカーラーを使用する場所では水は容易に入手が可能であり、例えばホテルの客室などで水を入れればカール処理を行うことができる。
また、水を別に入れる構成は、長期間の保管にも適しており、水漏れ等の恐れがないことからも多用途に供することができる。
【００４０】
次に、本発明のロッド体の素材について述べる。
本発明において発熱体容器で酸化カルシウムの発熱反応を利用するため、比較的高温になる。そこで、発熱体容器が設定温度となるように適切な熱伝導率の素材を選択することが好ましい。本実施例では、概ね表面温度が６０度のやや低温であって、３０分程度の加温時間としている。
【００４１】
ロッド体の表面は均一に、適切な温度で加温されることが好ましく、そのために均熱材を使用することが好ましい。均熱材は加熱器や冷却器、床暖房の分野において様々な技術が提案されており、それらを適宜用いることができる。
例えば、セラミック材料や、シリコン材料、Ｓｉ−ＳｉＣ複合材料、南部鉄器などが知られている。
【００４２】
ロッド体の少なくとも外周面をこれらの均熱材で形成することにより、内部の発熱を直接頭髪に及ぼさず、一定の表面温度で長時間維持することができる。酸化カルシウムを用いる本発明において均熱材との組み合わせは特に好適である。
【００４３】
また、ロッド体の少なくとも外周面に防水透湿性素材を用いることもできる。
防水透湿性素材は、水は通さず、水蒸気だけを通す素材として知られており、ロッド体の外周面に適用することで、酸化カルシウムと水が混合した際に生じる水蒸気が外周面から外部に放出される。
【００４４】
頭髪に水蒸気が当たることで、カール処理の効果が高まり、短時間で処理を行うことができる。また、水分が外部に逃れるので、使用後にロッド体には水が残らず、廃棄にも便利である。さらに、暖かい水蒸気によって頭皮への温熱効果も奏することができる。
本構成も、酸化カルシウムを用いる本発明と組み合わせることで特に効果的である。
【００４５】
本発明で用いられるヘアカーラーは上述した通り本明細書の開示に限定されない。例えば、図６（ａ）のようにロッド体（６０）と押さえ体（６１）とが振り子状に連結され、頭髪をロッド体（６０）に巻き付けた状態で押さえ体（６１）をロッド体（６０）に被せて（図６（ｂ））使用するヘアカーラー（６）も公知である。
このようなヘアカーラー（６）でも、ロッド体（６０）の内部（６２）に発熱体容器を挿入して使用することができる。
【００４６】
本発明は、上述した発熱体容器を図３に示す別実施例のようにロッド体と別体とし、発熱体容器単体で提供することもできる。発熱体容器は、上記いずれかの実施例で示したように、任意の構造を用いることができる。
発熱体容器は、使用者の嗜好や髪質に合わせて、異なる温度、持続時間となるようにいくつかの種類を提供し、使用者が選択することができるようにしてもよい。これによって、へカーラー（６）は共通で、多用途に供することができる。
【符号の説明】
【００４７】
１１  発熱体容器
１２  胴部
１２０  第１領域
１２１  第２領域
１２２  隔離面
１２３  開口端
１３  蓋部
１３０  嵌入部
１３１  先鋭部材
３０  酸化カルシウム
３１  水
【図１】
2015023998.tif 000003
【図２】
2015023998.tif 000004
【図３】
2015023998.tif 000005
【図４】
2015023998.tif 000006
【図５】
2015023998.tif 000007
【図６】
2015023998.tif 000008